(57)【要約】【課題】並行して行われている複数の機能に基づく各動作状況を操作者に把握させることができ、しかも、操作者が複数の動作状況を示す表示を連続して視認した場合であっても、どの動作状況が重要度の高いものであるかを的確に把握できるようにする。【解決手段】並行して行われている前記各機能の動作状況を検出する動作状況検出部と、動作状況検出部による検出対象とする各機能の動作状況を、当該各動作状況の重要度と共に記憶する重要度記憶部と、表示部に操作案内を表示させると共に、表示部の表示領域の一部をなす動作状況表示領域に、上記検出された各機能の動作状況を、所定数毎に順次切り替えて表示させる表示制御部とを備え、表示制御部は、所定数を超える上記各機能の動作状況を表示させる場合、重要度記憶部に記憶されている各動作状況の重要度を付し、当該各機能の動作状況を、動作状況表示領域に所定数毎に順次切り替えて表示させる。【選択図】図６
2008225384.tif 000002
【特許請求の範囲】
【請求項１】
複数の機能を実行可能な画像形成装置であって、
操作者に対して操作案内を表示する表示手段と、
並行して行われている前記各機能の動作状況を検出する動作状況検出手段と、
前記動作状況検出手段による検出対象とする前記各機能の動作状況を、当該各動作状況の重要度と共に記憶する重要度記憶手段と、
前記表示手段に前記操作案内を表示させると共に、前記表示手段の表示領域の一部をなす動作状況表示領域に、前記動作状況検出手段によって検出された前記各機能の動作状況を、予め定められた数毎に順次切り替えて表示させる表示制御手段とを備え、
前記表示制御手段は、前記予め定められた数を超える前記各機能の動作状況を表示させる場合、前記重要度記憶手段に記憶されている各動作状況についての重要度を付した上で、当該各機能の動作状況を、前記動作状況表示領域に前記予め定められた数毎に順次切り替えて表示させる画像形成装置。
【請求項２】
前記動作状況検出手段は、前記表示手段に表示されている操作案内が示す機能とは異なる各機能についての動作状況を検出する請求項１に記載の画像形成装置。
【請求項３】
前記重要度記憶手段は、前記重要度として、各動作状況の優先順位を記憶しており、
前記表示制御手段は、前記予め定められた数を超える前記各機能の動作状況を表示させる場合、前記検出された全動作状況における各動作状況についての優先順位を、前記重要度記憶手段に記憶されている各動作状況の優先順位に基づいて判別し、当該判別した優先順位を付した上で、当該各機能の動作状況を、前記動作状況表示領域に前記予め定められた数毎に順次切り替えて表示させる請求項１又は請求項２に記載の画像形成装置。
【請求項４】
前記表示制御手段は、前記表示対象とする各動作状況を、前記検出された全動作状況の総数と前記優先順位とを付した上で、前記動作状況表示領域に前記予め定められた数毎に順次切り替えて表示させる請求項３に記載の画像形成装置。
【請求項５】
前記表示制御手段は、前記検出された各動作状況を、前記重要度記憶手段に記憶されている当該各機能の動作状況についての重要度が高い順に、前記動作状況表示領域に前記予め定められた数毎に順次切り替えて表示させる請求項１乃至請求項４のいずれかに記載の画像形成装置。
【請求項６】
前記表示制御手段は、前記検出された各動作状況についての重要度が予め定められた重要度以上に高い場合には、当該重要度の高い動作状況の表示形態を、表示対象とする他の動作状況とは異ならせる請求項１乃至請求項５のいずれかに記載の画像形成装置。
【発明の詳細な説明】
【技術分野】
【０００１】
本発明は、複写機、ファクシミリ装置、複合機等の画像形成装置に関する。
【背景技術】
【０００２】
従来から、コピー機能、ファクシミリ機能、プリンタ機能等を兼ね備えた画像形成装置（いわゆる複合機）では、上記複数の機能に基づく動作が並行して行われる場合がある。そのため、例えば、下記特許文献１に示される画像形成装置では、当該並行して行われている各機能に基づく動作状況を操作者に対して報知するため、表示部の表示画面に、当該複数の機能についての各動作状況を表示させている。
【特許文献１】特開平７−１３１５７５号公報
【発明の開示】
【発明が解決しようとする課題】
【０００３】
しかし、上記従来の画像形成装置は、操作者が表示部の表示画面を視認すれば、複数の機能についての各動作状況を確認できるが、当該表示画面に表示されている複数の動作状況のうち、いずれの動作状況が重要度の高いものであるかまでは、操作者が把握することはできなかった。また、複数の機能についての各動作状況を示す画面を、操作者が確認すべき重要度の高いものから順番に、表示部の表示画面を切り換えて表示したとしても、この場合、各機能の動作状況を示す画面が次々に切り替え表示されるため、操作者は、複数の画面を連続して視認してしまうと、どの動作状況を示す画面が重要度の高いものであるかが分からないという問題があった。
【０００４】
本発明は、上記問題点を解消するためになされたものであり、並行して行われている複数の機能に基づく各動作状況を操作者に把握させることができ、しかも、操作者が複数の動作状況を示す表示を連続して視認した場合であっても、どの動作状況が重要度の高いものであるかを的確に把握できる画像形成装置を提供することを目的とする。
【課題を解決するための手段】
【０００５】
本発明の請求項１に記載の発明は、複数の機能を実行可能な画像形成装置であって、
操作者に対して操作案内を表示する表示手段と、
並行して行われている前記各機能の動作状況を検出する動作状況検出手段と、
前記動作状況検出手段による検出対象とする前記各機能の動作状況を、当該各動作状況の重要度と共に記憶する重要度記憶手段と、
前記表示手段に前記操作案内を表示させると共に、前記表示手段の表示領域の一部をなす動作状況表示領域に、前記動作状況検出手段によって検出された前記各機能の動作状況を、予め定められた数毎に順次切り替えて表示させる表示制御手段とを備え、
前記表示制御手段は、前記予め定められた数を超える前記各機能の動作状況を表示させる場合、前記重要度記憶手段に記憶されている各動作状況についての重要度を付した上で、当該各機能の動作状況を、前記動作状況表示領域に前記予め定められた数毎に順次切り替えて表示させる画像形成装置である。
【０００６】
この構成によれば、表示制御手段が、上記動作状況表示領域に上記各機能の動作状況を順次切り替えて表示させる場合、当該各動作状況についての重要度を付した上で、当該各動作状況を表示させるので、並行して行われている各機能に基づくそれぞれの動作状況を操作者に把握させることができると共に、操作者は、複数の動作状況を示す表示を連続して視認した場合であっても、上記各動作状況に付される重要度に基づいて、どの動作状況が重要度の高いものであるかを操作者に的確に把握できる。
【０００７】
また、請求項２に記載の発明は、請求項１に記載の画像形成装置であって、前記動作状況検出手段は、前記表示手段に表示されている操作案内が示す機能とは異なる各機能についての動作状況を検出するものである。
【０００８】
これらの構成によれば、動作状況検出手段が、表示手段に表示されている操作案内の示す機能とは異なる各機能についての動作状況を検出し、当該検出された各機能についての動作状況を、表示制御手段が上記操作案内と共に表示するので、操作者は、表示手段に表示中の操作案内を視認できると共に、当該操作案内が示す機能とは異なる各機能についての動作状況も把握できる。
【０００９】
また、請求項３に記載の発明は、請求項１又は請求項２に記載の画像形成装置であって、前記重要度記憶手段は、前記重要度として、各動作状況の優先順位を記憶しており、
前記表示制御手段は、前記予め定められた数を超える前記各機能の動作状況を表示させる場合、前記検出された全動作状況における各動作状況についての優先順位を、前記重要度記憶手段に記憶されている各動作状況の優先順位に基づいて判別し、当該判別した優先順位を付した上で、当該各機能の動作状況を、前記動作状況表示領域に前記予め定められた数毎に順次切り替えて表示させるものである。
【００１０】
この構成によれば、表示制御手段が、上記動作状況表示領域に上記各機能の動作状況を順次切り替えて表示させる場合、動作状況検出手段によって検出された全動作状況における各動作状況についての優先順位を付した上で、当該各機能の動作状況を表示させるので、操作者は、表示される各動作状況が、全動作状況の中でどの程度重要であるのかを把握することができる。
【００１１】
また、請求項４に記載の発明は、請求項３に記載の画像形成装置であって、前記表示制御手段は、前記表示対象とする各動作状況を、前記検出された全動作状況の総数と前記優先順位とを付した上で、前記動作状況表示領域に前記予め定められた数毎に順次切り替えて表示させるものである。
【００１２】
この構成によれば、表示制御手段が、上記動作状況表示領域に上記各機能の動作状況を順次切り替えて表示させる場合、上記検出された全動作状況の総数と上記優先順位とを付した上で、各動作状況を表示させるので、操作者は、表示される各動作状況が、前記動作状況の中でどの程度重要であるのかだけではなく、上記動作状況表示領域に次々に切り替え表示される動作状況の総数も把握することができる。
【００１３】
また、請求項５に記載の発明は、請求項１乃至請求項４のいずれかに記載の画像形成装置であって、前記表示制御手段は、前記検出された各動作状況を、前記重要度記憶手段に記憶されている当該各機能の動作状況についての重要度が高い順に、前記動作状況表示領域に前記予め定められた数毎に順次切り替えて表示させるものである。
【００１４】
この構成によれば、表示制御手段が、上記検出された各動作状況を、重要度が高い順に上記動作状況表示領域に予め定められた数毎に順次切り替えて表示させるので、操作者は、表示手段に表示される複数の動作状況を、重要度の高い動作状況から順に確認することができる。
【００１５】
また、請求項６に記載の発明は、請求項１乃至請求項５のいずれかに記載の画像形成装置であって、前記表示制御手段は、前記検出された各動作状況についての重要度が予め定められた重要度以上に高い場合には、当該重要度の高い動作状況の表示形態を、表示対象とする他の動作状況とは異ならせるものである。
【００１６】
この構成によれば、表示制御手段が、表示対象とする各動作状況についての重要度が予め定められた重要度以上に高い場合には、当該動作状況の表示形態を他の動作状況とは異ならせるので、操作者は、当該異なる表示形態を視認することで、比較的重要度の高い動作状況を把握しやすくなる。
【発明の効果】
【００１７】
請求項１に記載の発明によれば、並行して行われている各機能に基づくそれぞれの動作状況を操作者に把握させることができると共に、操作者は、複数の動作状況を示す表示を連続して視認した場合であっても、上記各動作状況に付される重要度に基づいて、どの動作状況が重要度の高いものであるかを操作者に的確に把握できる。
【００１８】
請求項２に記載の発明によれば、操作者は、表示手段に表示中の操作案内を視認できると共に、当該操作案内が示す機能とは異なる各機能についての動作状況も把握できる。
【００１９】
請求項３に記載の発明によれば、操作者は、表示される各動作状況が、全動作状況の中でどの程度重要であるのかを把握することができる。
【００２０】
請求項４に記載の発明によれば、操作者は、表示される各動作状況が、前記動作状況の中でどの程度重要であるのかだけではなく、上記動作状況表示領域に次々に切り替え表示される動作状況の総数も把握することができる。
【００２１】
請求項５に記載の発明によれば、操作者は、表示手段に表示される複数の動作状況を、重要度の高い動作状況から順に確認することができる。
【００２２】
請求項６に記載の発明によれば、表示対象とする各動作状況についての重要度が予め定められた重要度以上に高い場合に、当該動作状況の表示形態が他の動作状況とは異なって表示されるので、操作者は、当該異なる表示形態を視認することで、比較的重要度の高い動作状況を把握しやすくなる。
【発明を実施するための最良の形態】
【００２３】
以下、本発明に係る表示装置及びこれを備えた画像形成装置について説明する。図１は、本発明の一実施形態に係る画像形成装置の一例である複合機の構成を示す側面概略図である。図２は、操作部４００の部分拡大図である。複合機１は、スキャナ機能、ファクシミリ機能、プリンタ機能、コピー機能等を兼ね備えている。複合機１は、本体部２００と、本体部２００の用紙搬出側、例えば左側に配設された用紙後処理部３００と、操作者が種々の操作指令等を入力するための操作部４００と、本体部２００の上部に配設された原稿読み取り部５００と、原稿読み取り部５００の上部に配設された原稿給送部６００とから構成される。
【００２４】
図２にも示すように、操作部４００は、ＬＣＤ（Liquid Crystal Display）等からなる表示部４１０と、操作者から操作指示が入力される操作キー部４３０を備える。操作キー部４３０は、ヘルプキー４３１、スタートキー４３２、テンキー４３３、及び機能切換キー４３４等を備える。
【００２５】
ヘルプキー４３１は、操作者から、スキャナ機能、ファクシミリ機能、プリンタ機能、コピー機能等に関する各操作方法を表示する操作案内画面（ヘルプ画面）を表示部４１０に表示させる指示を受け付けるものである。
【００２６】
スタートキー４３２は、コピー動作やスキャン動作等の各動作を開始させる指示を操作者から受け付ける。テンキー４３３は、コピー部数を指定する指示等を操作者から受け付けるキーである。機能切換キー４３４は、コピー機能、送信機能（スキャナ機能、ファクシミリ機能等）、ボックス機能（後述するＨＤＤ７４内に設けられている操作者毎の記憶領域（メールボックス）に記憶されているデータを読み出してプリントする機能）等を相互に切り替える機能切換指示を操作者から受け付けるキーである。
【００２７】
表示部（表示手段）４１０は、ＬＣＤ（Liquid Crystal Display）等からなり、タッチパネルを組み合わせたタッチパネルユニット等を備えている。表示部４１０は、種々の操作画面を表示すると共に、操作者が表示面（表示されている操作キー）をタッチすることで種々の機能の実行指令を入力することが可能とされている。
【００２８】
原稿給送部６０は、原稿載置部６０１、給紙ローラ６０２、原稿搬送部６０３及び原稿排出部６０４を備え、原稿読み取り部５００は、スキャナ５０１を備える。給紙ローラ６０２は、原稿載置部６０１にセットされた所要枚数分の原稿を一枚ずつ繰り出し、原稿搬送部６０３は、繰り出される原稿を順次スキャナ５０１の読み取り位置に搬送する。スキャナ５０１は搬送される原稿の画像を順次読み取り、読み取られた原稿は原稿排出部６０４に排出される。
【００２９】
本体部２００は、複数の給紙カセット２０１、複数の給紙ローラ２０２、転写ローラ２０３、感光体ドラム２０４、露光装置２０６、現像装置２０７、定着ローラ２０８、排出口２０９、及び排出トレイ２１０等を備える。
【００３０】
感光体ドラム２０４は、矢印方向に回転しながら帯電装置（図示省略）によって一様に帯電される。露光装置２０６は、原稿読み取り部５００において読み取られた原稿の画像に応じて変調されたレーザ光を感光体ドラム２０４上に走査し、ドラム表面に各色毎の静電潜像を形成する。現像装置２０７は、黒色の現像剤を感光体ドラム２０４に供給してトナー画像を形成する。
【００３１】
一方、給紙ローラ２０２は、印刷用紙が収納された給紙カセット２０１から印刷用紙を引き出し、転写ローラ２０３まで給送する。転写ローラ２０３は、搬送された印刷用紙に感光体ドラム２０４上のトナー像を転写させ、定着ローラ２０８は、転写されたトナー像を加熱して印刷用紙に定着させる。その後、印刷用紙は、本体部２００の排出口２０９から用紙後処理部３００に搬入される。また、印刷用紙は、必要に応じて排出トレイ２１０へも排出される。
【００３２】
用紙後処理部３００は、搬入口３０１、印刷用紙搬送部３０２、搬出口３０３及びスタックトレイ３０４等を備える。印刷用紙搬送部３０２は、排出口２０９から搬入口３０１に搬入された印刷用紙を順次搬送し、最終的に搬出口３０３からスタックトレイ３０４へ印刷用紙を排出する。スタックトレイ３０４は、搬出口３０３から搬出された印刷用紙の集積枚数に応じて矢印方向に上下動可能に構成されている。
【００３３】
図３は、図１に示す複合機の制御ブロック図である。複合機１は、スキャナ部１１、画像処理部２１、プリンタ部３１、操作部４００、制御部５１、ネットワークＩ／Ｆ（インターフェース）部７１、ＨＤＤ（ハードディスクドライブ）７４、及びファクシミリ通信部７５を備える。
【００３４】
スキャナ部１１は、図１に示すスキャナ５０１を構成する露光ランプ１２及びＣＣＤ（電荷結合素子）１３を含む。スキャナ部１１は、露光ランプ１２により原稿を照射し、その反射光をＣＣＤ１３で受光することにより、原稿から画像を読み取り、読み取った画像に対応する画像を画像処理部２１へ出力する。
【００３５】
画像処理部２１は、補正部２２、画像加工部２３及び画像メモリ２４を含む。画像処理部２１は、読み取られた画像を必要に応じて補正部２２及び画像加工部２３により処理する。画像処理部２１によって処理された画像は印刷用に画像メモリ２４に記憶され、又はプリンタ部３１に出力される。補正部２２は、読み取られた画像に対してレベル補正、γ補正等の所定の補正処理を行う。画像加工部２３は、画像の圧縮又は伸張処理、及び拡大又は縮小処理等の種々の加工処理を行う。
【００３６】
プリンタ部３１は、図１に示す給紙カセット２０１及び給紙ローラ２０２等から構成される用紙搬送部３２、図１に示す感光体ドラム２０４、露光装置２０６及び現像装置２０７等から構成される画像形成部３３、図１に示す転写ローラ２０３等から構成される転写部３４、及び図１に示す定着ローラ２０８等から構成される定着部３５を含む。プリンタ部３１は、スキャナ部１１により読み取られた原稿データを用いて画像を記録紙に印刷する。具体的には、用紙搬送部３２は記録紙を画像形成部３３へ搬送し、画像形成部３３は上記の画像に対応するトナー像を形成し、転写部３４はトナー像を記録紙に転写し、定着部３５はトナー像を記録紙に定着させて画像を形成する。
【００３７】
ネットワークＩ／Ｆ部７１は、ネットワークインタフェース（10/100Base-TX）等を用い、ＬＡＮを介して外部装置との間での種々のデータの送受信を制御する。ＨＤＤ７４は、スキャナ部１１によって読み取られた画像及び当該画像に設定されている出力形式等を記憶する。
【００３８】
操作部４００は、図１及び図２に示したように表示部４１０、操作キー部４３０を備える。表示部４１０は、タッチパネル機能により各種指示の入力を受け付ける複数のキーを表示制御部５２２による制御の下で表示する。操作キー部４３０には、図２に示した機能切換キー４３４、スタートキー４３２、テンキー４３３等が設けられている。制御部５１のＣＰＵ５２は、上記表示部４１０及び操作部４００の各キーから、操作者によって入力された指示を受け付ける。
【００３９】
ファクシミリ通信部７５は、符号化／復号化部（図示省略）、変復調部（図示省略）及びＮＣＵ（Network Control Unit）（図示省略）を含む。ファクシミリ通信部７５は、スキャナ部１１によって読み取られた原稿の画像データを電話回線を介してファクシミリ装置等へ送信したり、ファクシミリ装置等から送信された画像データを受信したりする。符号化／復号化部は、送信する画像データを圧縮・符号化し、受信した画像データを伸長・復号化する。変復調部は、圧縮・符号化された画像データを音声信号に変調し、受信した信号（音声信号）を画像データに復調する。ＮＣＵは、送受信先となるファクシミリ装置等との電話回線による接続を制御する。
【００４０】
制御部５１は、ＣＰＵ５２と、表示画像データ記憶部５３と、重要度記憶部５４とを備える。ＣＰＵ５２は、複合機１の動作制御を司るものである。表示画像データ記憶部５３は、操作者に対する操作案内を表示するための各種データや、スキャナ機能、ファクシミリ機能、プリンタ機能、コピー機能等の各機能の動作状況やその重要度を表示するための画像データ（画像、文字、記号等の各データを含む）を記憶している。
【００４１】
重要度記憶部（重要度記憶手段）５４は、動作状況検出部５２３が検出対象とする上記スキャナ機能等の各機能の動作状況を、当該各動作状況の重要度と共に記憶している。
【００４２】
ＣＰＵ５２は、動作制御部５２１、表示制御部５２２、及び動作状況検出部５２３を備える。動作制御部５２１は、複合機１の各部（スキャナ部１１，画像処理部２１、プリンタ部３１等）の動作制御を司る。
【００４３】
表示制御部（表示制御手段）５２２は、表示部４１０の表示動作を制御する。表示制御部５２２は、操作案内画面の表示や、動作状況検出部５２３によって検出された各動作状況及び重要度の表示に必要な画像データを表示画像データ記憶部５３から読み出して表示部４１０に表示させる。
【００４４】
動作状況検出部（動作状況検出手段）５２３は、並行して行われている上記各機能についての動作状況を検出する。動作状況検出部５２３は、表示制御部５２２が表示部４１０に表示させている操作案内が示す機能に加え、当該操作案内が示す機能とは異なる各機能についての動作状況も検出する。
【００４５】
次に、複合機１による、表示部４１０に各機能の動作状況を表示する際における処理の第１実施形態について説明する。図４は、表示部４１０に各機能の動作状況を表示する際における処理の第１実施形態を示すフローチャート、図５乃至図７は表示部４１０の表示画面の一例を示す図である。
【００４６】
複合機１の主電源が操作者によってオンにされると、表示制御部５２２は、表示部４１０に図５に示すような初期画面Ａを表示させる（Ｓ１）。本実施形態では、表示制御部５２２は、初期画面Ａの一例として、表示部４１０に、コピー機能の動作条件が設定可能な表示画面を表示させる。
【００４７】
表示制御部５２２が、表示部４１０に初期画面Ａを表示させているときに、操作者が、操作キー部４３０の機能切換キー４３４又はスタートキー４３２等を押下して、表示制御部５２２に、コピー機能以外の他の機能への機能切替指示又はコピー動作の開始指示が受け付けられると（Ｓ２でＹＥＳ）、表示制御部５２２は、操作者によって押下された機能切換キー４３４に対応する機能の動作条件が設定可能な表示画面、又はコピー動作中であることを示す案内画面を表示部４１０に表示させる（Ｓ３）。
【００４８】
上記初期画面Ａの表示（Ｓ１）、操作者からの上記指示入力の待機（Ｓ２）、及び上記動作条件の入力が可能な表示画面又はコピー動作中の案内画面表示（Ｓ３）の各処理が行われると共に、動作状況検出部５２３は、表示部４１０の操作案内画面で案内されているコピー動作の動作状況に加えて、当該コピー動作と並行して行われている他の各機能の動作状況を検出する処理も行う（Ｓ４）。
【００４９】
複合機１においては、例えば、コピー動作中であっても、公衆回線により外部から送られてきたファクシミリデータの受信や、データ機密性確保のためのＨＤＤ７４の上書き消去動作等は、コピー動作と並行して実行可能である。また、図略のトナーコンテナ内のトナーが残り少なくなったこと等は、コピー動作中であっても、トナーコンテナに設けられたトナー残量検知センサ等からの信号に基づいてＣＰＵ５２が検出可能である。このため、複合機１においては、動作状況検出部５２３が、操作案内画面で案内しているコピー動作の動作状況と共に、当該コピー動作と並行して行われている他の各機能の動作状況も検出する。なお、本実施形態でいう「各機能の動作状況」には、コピー機能、ファクシミリ機能、プリンタ機能、スキャナ機能の動作状況だけでなく、当該トナー残量表示のように、複合機１の各部の状況を示すものも含むものとする。
【００５０】
動作状況検出部５２３が、並行して行われている各機能についての動作状況を検出した場合（Ｓ５でＹＥＳ）、表示制御部５２２は、重要度記憶部５４から、上記検出された各動作状況についてのそれぞれの重要度を検出する（Ｓ６）。そして、表示制御部５２２は、検出された各動作状況にそれぞれの重要度を示す画像データ（或いは文字又は記号データ）を付す（Ｓ７）。
【００５１】
そして、表示制御部５２２は、検出された各機能の動作状況（以下、単に各動作状況という）を、上記重要度と共に、表示部４１０の表示画面における所定の動作状況表示領域に表示させる（Ｓ８）。所定の動作状況表示領域として、表示制御部５２２は、例えば図６に示すように、表示部４１０の表示領域の一部をなす領域であって、その時点で表示されている操作案内画面を表示する領域以外の部分（すなわち、当該操作案内画面の表示を害さない一部領域）を設定する。表示制御部５２２は、当該動作状況表示領域に、上記検出された各動作状況を、重要度と共に、重要度の高い順に予め定められた数（本実施形態では当該予め定められた数は1）毎に表示し、更に、予め定められた重要度以上の高い重要度、例えば重要度Ａの動作状況は点滅させて表示する。
【００５２】
例えば、重要度の高低を高い順にＡ〜Ｃの３段階で表す場合に、動作状況検出部５２３によって、トナー残量が少なくなったことと、ＨＤＤ上書き消去中、プリントデータ受信、Ａ５用紙が残り僅か、の４つの動作状況が検出され、トナー残量が少なくなったことの重要度がＡ、ＨＤＤ上書き消去中の重要度がＢ、プリントデータ受信の重要度がＣ、Ａ５用紙が残り僅かの重要度がＣであるとき、表示制御部５２２は、図６に示すように、まず重要度Ａであるトナー残量が少なくなったことを示すメッセージを動作状況表示領域に表示させ、次に図７に示すように、重要度ＢであるＨＤＤ上書き消去中のメッセージを動作状況表示領域に表示させる。この後、図示はしないが、プリントデータ受信、Ａ５用紙が残り僅かのメッセージを表示制御部５２２が表示部４１０に順次切り替えて表示させる。
【００５３】
さらに、表示制御部５２２は、図６に示すように、予め定められた重要度以上の重要度Ａであるトナー残量が少なくなったことを示すメッセージを点滅させて表示させる。なお、表示制御部５２２は、重要度Ａである動作状況を示すメッセージを、当該点滅表示させる代わりに、又は当該点滅表示と共に、他の動作状況をメッセージとは色を変えて表示させたり、画像（文字又は記号）の大きさを変えて表示させてもよい（以下に示す実施形態において、表示制御部５２２が点滅表示を行う場合について同じ）。
【００５４】
また、上記表示制御部５２２は、予め定められた重要度以上の動作状況を、上記点滅表示等による表示形態を異ならせる表示とすることが好ましいが、当該点滅表示を行わないものとすることも可能である（以下に示す実施形態において同じ）。
【００５５】
なお、上記Ｓ５乃至Ｓ８では、動作状況検出部５２３は、その時点で表示されている操作案内画面で案内する機能の動作を含め、並行して行われている各機能についての動作状況を検出し、表示制御部５２２が、検出された全動作状況を重要度と共に動作状況表示領域に表示するが、これに代えて、表示制御部５２２は、その時点で表示されている操作案内画面で案内する機能の動作状況は、当該操作案内画面を別の表示画面に切り替えて表示し、これ以外のバックグラウンドで並行して動作している機能の動作状況は、上記動作状況表示領域に表示するようにしてもよい。以下に示す各実施形態について同様である。
【００５６】
次に、複合機１による、表示部４１０に各機能の動作状況を表示する際における処理の第２実施形態について説明する。図８は、表示部４１０に各機能の動作状況を表示する際における処理の第２実施形態を示すフローチャート、図９及び図１０は表示部４１０の表示画面の一例を示す図である。なお、第１実施形態と同様の処理は説明を省略する。
【００５７】
第２実施形態では、動作状況検出部５２３が上記動作状況を検出し（Ｓ１５でＹＥＳ）、表示制御部５２２が各動作状況の重要度を検出するが（Ｓ１６）、表示制御部５２２は、更に、各動作状況の優先順位を判別する（Ｓ１７）。すなわち、第２実施形態においては、重要度記憶部５４は、各動作状況の重要度を示すＡからＣの段階情報に加えて、更なる重要度を示す情報として、同じ重要度の段階（例えばＡ）を有する動作状況であっても、この中でどの動作状況の優先順位が高いかの情報（以下、単に優先順位という）を記憶している。そして、表示制御部５２２は、当該各動作状況の優先順位に基づいて、動作状況検出部５２３によって検出された各動作状況についての全動作状況中における優先順位（各動作状況の重要度の順位）を判別する。
【００５８】
そして、表示制御部５２２は、検出された各動作状況にそれぞれの重要度及び優先順位を示す画像データ（文字又は記号データ）を付す（Ｓ１８）。続いて、表示制御部５２２は、検出された各動作状況を上記重要度及び優先順位と共に、表示部４１０の表示画面における所定の動作状況表示領域に、優先順位の高い順に予め定められた数毎に、予め定められた重要度よりも高い重要度の動作状況は点滅させて表示する（Ｓ１９）。
【００５９】
例えば、トナー残量が少なくなったことを示す動作状況の重要度がＡであって優先順位第１位であり、ファクシミリデータ受信中を示す動作状況の重要度がＡであって優先順位第２位であり、プリントデータ受信を示す動作状況の重要度がＣであって優先順位第３位であり、Ａ５用紙が残り僅かを示す動作状況の重要度がＣであって優先順位第４位であるとすると、表示制御部５２２は、図９に示すように、まず、同じ重要度Ａであるが優先順位の高いトナー残量が少なくなったことを示すメッセージを動作状況表示領域に表示し、次に図１０に示すように、重要度Ａであるが優先順位が低いファクシミリデータ受信中のメッセージを動作状況表示領域に表示する。以下、図示はしないが、表示制御部５２２は、優先順位の順に、プリントデータ受信を示す動作状況と、Ａ５用紙が残り僅かを示す動作状況とを順次切り替えて表示させる。表示制御部５２２は、図９及び図１０に示すように、これらのメッセージは両方とも、予め定められた重要度以上の重要度Ａであるため、両方のメッセージを点滅させて表示させる。
【００６０】
なお、本第２実施形態では、表示制御部５２２は、検出された各動作状況を上記重要度及び優先順位と共に動作状況表示領域に順次切り替えて表示させるとしているが、表示制御部５２２は、各動作状況の重要度を表示させず、優先順位のみを各動作状況と共に表示させるようにしてもよい。この場合、重要度記憶部５４は、重要度として、上述したＡ〜Ｃの段階情報を記憶しておく必要はなく、優先順位情報を記憶していればよい。
【００６１】
次に、複合機１による、表示部４１０に各機能の動作状況を表示する際における処理の第３実施形態について説明する。図１１は、表示部４１０に各機能の動作状況を表示する際における処理の第２実施形態を示すフローチャート、図１２及び図１３は表示部４１０の表示画面の一例を示す図である。なお、第１又は第２実施形態と同様の処理は説明を省略する。
【００６２】
第３実施形態では、表示制御部５２２は、各動作状況の優先順位を判別し（Ｓ２６）、全動作状況の総数と、各動作状況についての全動作状況中における優先順位を示す画像を付す（Ｓ２７）。そして、表示制御部５２２は、各動作状況を、全動作状況数及び優先順位と共に、表示部４１０の表示画面における所定の動作状況表示領域に、優先順位の高い順に予め定められた数毎に表示する（Ｓ２８）。このとき、表示制御部５２２は、予め定められた優先順位よりも高い順位の動作状況を点滅させて表示する。
【００６３】
例えば、検出された全動作状況数が5であり、トナー残量が少なくなったことを示す動作状況が優先順位第１位、ファクシミリデータ受信中を示す動作状況が優先順位第２位であり、プリントデータ受信を示す動作状況が優先順位第３位であり、Ａ５用紙が残り僅かを示す動作状況が優先順位第４位であるとすると、表示制御部５２２は、図１２に示すように、まず、優先順位の高いトナー残量が少なくなったことを示すメッセージを全動作状況数及び優先順位と共に動作状況表示領域に表示し、次に図１３に示すように、優先順位が低いファクシミリデータ受信中のメッセージを全動作状況数及び優先順位と共に動作状況表示領域に表示する。以下、図示はしないが、表示制御部５２２は、優先順位の順に、リントデータ受信を示す動作状況と、Ａ５用紙が残り僅かを示す動作状況とを全動作状況数及び優先順位と共に順次切り替えて表示させる。表示制御部５２２には、点滅表示させる動作状況が予め優先順位第１位以上と設定されており、表示制御部５２２は、図１２に示すように、優先順位第１位のメッセージを点滅させて表示させる。
【００６４】
なお、本第３実施形態では、表示制御部５２２は、上記検出された動作状況を、全動作状況数及び優先順位と共に動作状況表示領域に表示するとしているが、これに加えて重要度（例えば、上記Ａ〜Ｃ）を検出する処理を行い、当該重要度を更に表示するようにしてもよい。この場合、表示制御部５２２は、優先順位に拘わらず、各動作状況の重要度に基づいて、予め定められた重要度以上の動作状況を点滅表示させるものとしてもよい。
【００６５】
なお、上記図１乃至図１３に示した実施形態に係る構成及び処理は、本発明に係る画像形成装置の構成及び処理の単なる一例に過ぎず、本発明に係る画像形成装置の構成及び処理を上記に示した内容に限定するものではない。
【００６６】
また、上記各実施形態では、本発明に係る画像形成装置を複合機１として説明したが、本発明に係る画像形成装置は複合機に限定されず、コピー機、ファクシミリ装置、プリンタ等でも構わない。
【図面の簡単な説明】
【００６７】
【図１】本発明の一実施形態に係る画像形成装置の一例である複合機の構成を示す側面概略図である。
【図２】操作部の部分拡大図である。
【図３】図１に示す複合機の制御ブロック図である。
【図４】表示部に各機能の動作状況を表示する際における処理の第１実施形態を示すフローチャートである。
【図５】表示部の表示画面の一例を示す図である。
【図６】表示部の表示画面の一例を示す図である。
【図７】表示部の表示画面の一例を示す図である。
【図８】表示部に各機能の動作状況を表示する際における処理の第２実施形態を示すフローチャートである。
【図９】表示部の表示画面の一例を示す図である。
【図１０】表示部の表示画面の一例を示す図である。
【図１１】表示部に各機能の動作状況を表示する際における処理の第３実施形態を示すフローチャートである。
【図１２】表示部の表示画面の一例を示す図である。
【図１３】表示部の表示画面の一例を示す図である。
【符号の説明】
【００６８】
１        複合機
５１      制御部
５２      ＣＰＵ
５２１    動作制御部
５２２    表示制御部
５２３    動作状況検出部
５３      表示画像データ記憶部
５４      重要度記憶部
４００    操作部
４１０    表示部
【図１】
2008225384.tif 000003
【図２】
2008225384.tif 000004
【図３】
2008225384.tif 000005
【図４】
2008225384.tif 000006
【図５】
2008225384.tif 000007
【図６】
2008225384.tif 000008
【図７】
2008225384.tif 000009
【図８】
2008225384.tif 000010
【図９】
2008225384.tif 000011
【図１０】
2008225384.tif 000012
【図１１】
2008225384.tif 000013
【図１２】
2008225384.tif 000014
【図１３】
2008225384.tif 000015